【手続補正書】
【提出日】令和2年3月30日(2020.3.30)
【手続補正１】
【補正対象書類名】特許請求の範囲
【補正対象項目名】全文
【補正方法】変更
【補正の内容】
【特許請求の範囲】
【請求項１】
地下ボールトの内側に設置するための監視システムであって、前記監視システムが、
少なくとも１つのアパーチャを備えるハウジングと、
前記ハウジングの内側に位置付けられたプロセッサと、
前記プロセッサに接続されたメモリであって、前記メモリが、前記プロセッサから受信されたデータを記憶するように構成されたメモリと、
前記地下ボールトの内側で少なくとも１つのパラメータの値を監視し、前記プロセッサに監視信号を送信するように動作可能な少なくとも１つのセンサであって、前記プロセッサが、前記監視信号を受信し、前記監視信号に少なくとも部分的に基づいて、前記メモリに前記データを提供するように構成された、少なくとも１つのセンサと、
前記ハウジングの内側に位置付けられたエンクロージャであって、前記少なくとも１つのセンサが、前記エンクロージャの内側に位置付けられ、前記エンクロージャが、前記少なくとも１つのアパーチャと流体連通している入口を備える、エンクロージャと、
前記入口から、前記少なくとも１つのアパーチャを通って、前記地下ボールトの中に延びる導管であって、前記導管が、ボールト空気を前記地下ボールトから前記エンクロージャの中に導く、導管と、
前記少なくとも１つのセンサが前記少なくとも１つのパラメータの前記値を取得する前に起動されるように構成された空気移動装置であって、前記空気移動装置が、起動されると、空気を前記エンクロージャの内外に移動させ、それによって、前記導管を通して、前記地下ボールトの内側から前記ボールト空気を引き込み、前記エンクロージャ内の中に入れる、空気移動装置と、を備える、監視システム。
【請求項２】
前記プロセッサが、前記エンクロージャの外側に位置付けられる、請求項１に記載の監視システム。
【請求項３】
前記空気移動装置が、所定の期間にわたって起動された状態を維持するように構成され、
前記所定の期間が、前記空気移動装置が前記エンクロージャの内側の空気を前記ボールト空気と交換するのに十分であり、
前記空気移動装置が、前記所定の期間後、停止されるように構成されている、請求項１または２に記載の監視システム。
【請求項４】
前記プロセッサが、前記空気移動装置を起動し、かつ停止するように構成されている、請求項３に記載の監視システム。
【請求項５】
前記入口に、またはその付近に位置付けられたフィルタであって、前記フィルタが、前記ボールト空気が前記エンクロージャに進入する前に、前記ボールト空気をろ過する、フィルタをさらに備える、請求項１から４のいずれか１項に記載の監視システム。
【請求項６】
前記エンクロージャもしくは前記ハウジング、または前記エンクロージャ及び前記ハウジングを備える少なくとも１つの構造の内側に位置付けられた１つ以上の発熱要素であって、前記１つ以上の発熱要素が、水分が前記少なくとも１つの構造の内側に凝縮することを防止することを助ける、１つ以上の発熱要素をさらに備える、請求項１から５のいずれか１項に記載の監視システム。
【請求項７】
前記１つ以上の発熱要素の各々は抵抗器である、請求項６に記載の監視システム。
【請求項８】
前記導管が、前記ボールト空気が前記エンクロージャに進入する前に、前記ボールト空気をろ過するように構成されたフィルタをさらに備える、請求項１から７のいずれか１項に記載の監視システム。
【請求項９】
前記導管が、前記地下ボールトの底付近に位置付けられた遠位端を有し、
前記導管が、前記遠位端に、またはその付近に各々形成された複数の開口を有する、請求項８に記載の監視システム。
【請求項１０】
前記地下ボールトの内側に位置する電源から電力を引き出し、前記電力を、前記プロセッサ、前記空気移動装置、及び前記少なくとも１つのセンサに提供するように構成された電力ユニットをさらに備える、請求項１から９のいずれか１項に記載の監視システム。
【請求項１１】
前記プロセッサに接続された通信インターフェースであって、前記通信インターフェースが、前記プロセッサから受信されたデータ信号を少なくとも１つの外部装置に伝送するように構成された、通信インターフェースをさらに備える、請求項１から１０のいずれか１項に記載の監視システム。
【請求項１２】
前記少なくとも１つの外部装置が、前記地下ボールトの内側に位置付けられた換気装置であり、
前記データ信号が、前記換気装置に、前記ボールト空気を換気または循環させ、これにより前記地下ボールトの内側の内部環境を変更するように命令する命令を含む、請求項１１に記載の監視システム。
【請求項１３】
前記ハウジングが、前記ハウジングの内部の内側に空気を閉じ込めるように構成され、
前記エンクロージャが、前記内部の内側に位置付けられ、
前記少なくとも１つのアパーチャが、前記ハウジングの下側部分に形成され、
前記内部の内側に閉じ込められた前記空気が、水が前記少なくとも１つのアパーチャを通って前記内部に進入することを防止する、請求項１から１２のいずれか１項に記載の監視システム。
【請求項１４】
前記少なくとも１つのセンサは、酸素センサ、一酸化炭素センサ、二酸化炭素センサ、メタンセンサ、温度センサ、及び湿度センサを含む複数のセンサの１つ以上を含む、請求項１から１３のいずれか１項に記載の監視システム。
【請求項１５】
前記少なくとも１つのセンサは、酸素センサ、一酸化炭素センサ、二酸化炭素センサ、メタンセンサ、温度センサ、及び湿度センサを含む、請求項１から１３のいずれか１項に記載の監視システム。
【請求項１６】
少なくとも１つの外部監視信号を前記プロセッサに送信するように構成された１つ以上の外部センサをさらに備え、前記プロセッサは、前記少なくとも１つの外部監視信号を受信し、前記少なくとも１つの外部監視信号に少なくとも部分的に基づいて、外部データを前記メモリに提供するように構成され、前記メモリは、前記プロセッサから受信した前記外部データを格納するように構成されている、請求項１から１５のいずれか１項に記載の監視システム。
【請求項１７】
前記１つ以上の外部センサは、温度または温度差を検出するように構成された赤外線センサを含む、請求項１６に記載の監視システム。
【請求項１８】
前記地下ボールトを通って延びるケーブルシステムの少なくとも１つの電気ケーブルとともに使用するための監視システムであって、前記１つ以上の外部センサは電流センサを含み、
前記電流センサは、負荷状況及び電流スパイクに関して、前記少なくとも１つの電気ケーブルを流れる電流を測定するように構成されている、請求項１６に記載の監視システム。
【請求項１９】
前記地下ボールトを通って延びるケーブルシステムの少なくとも１つの電気ケーブルとともに使用するための監視システムであって、前記少なくとも１つのセンサはボールト温度センサを含み、
前記ボールト温度センサは、前記地下ボールトの第１の温度を測定するように構成され、
前記１つ以上の外部センサは、ケーブル温度センサを含み、
前記ケーブル温度センサは、前記少なくとも１つの電気ケーブルの第２の温度を測定するように構成されている、請求項１６に記載の監視システム。
【請求項２０】
前記１つ以上の外部センサは、水素センサ、硫化水素センサ、炭化水素センサ、部分放電センサ、無線周波数センサ、超音波センサ、磁界センサ、過渡接地電圧センサ、カメラ、温度センサ、赤外線センサ、前記地下ボールトの内側の水位を測定するように構成された水位センサ、水の塩度を測定するように構成された塩度センサ、及び水の導電度を測定するように構成された導電度センサを含む複数のセンサの１つ以上を含む、請求項１６に記載の監視システム。
【請求項２１】
前記地下ボールトの内側の動画を撮像またはキャプチャするように構成されたカメラをさらに備える、請求項１から２０のいずれか１項に記載の監視システム。
【請求項２２】
前記導管が、前記地下ボールトの底付近に位置付けられた遠位端を有する、請求項１から２１のいずれか１項に記載の監視システム。
【請求項２３】
前記導管が、前記ハウジングの外側に位置付けられた遠位端を有する、請求項１から２２のいずれか１項に記載の監視システム。
【請求項２４】
電気ケーブルを備える、前記地下ボールトとともに使用するための監視システムであって、前記監視システムは、
前記電気ケーブルに沿って位置付けられ、前記電気ケーブルから電力を電磁誘導的に受信するように構成された導電コイルと、
前記導電コイルに接続され、前記導電コイルから前記電力を受信するように構成され、前記電力を前記プロセッサ、前記空気移動装置及び前記少なくとも１つのセンサに提供するように構成された電力ユニットと、
をさらに備える、請求項１から２３のいずれか１項に記載の監視システム。
【請求項２５】
前記空気移動装置はファンである、請求項１から２４のいずれか１項に記載の監視システム。
【請求項２６】
地下ボールトの内側に設置するための監視システムであって、前記監視システムが、
ハウジングと、
前記ハウジングの内側に位置付けられたプロセッサと、
前記プロセッサに接続されたメモリであって、前記メモリが、前記プロセッサから受信されたデータを記憶するように構成されたメモリと、
前記地下ボールトの内側の少なくとも１つのパラメータの値を監視し、前記プロセッサに監視信号を送信するように動作可能な少なくとも１つのセンサであって、前記プロセッサが、前記監視信号を受信し、前記監視信号に少なくとも部分的に基づいて、前記メモリに前記データを提供するように構成された、少なくとも１つのセンサと、
前記ハウジングの内側に位置付けられた１つ以上の発熱要素であって、前記１つ以上の発熱要素が、前記１つ以上の発熱要素が熱を生成しているときに水分が前記ハウジングの内側で凝縮することを防止するように構成された、発熱要素と、を備える、監視システム。
【請求項２７】
前記プロセッサに接続された通信インターフェースであって、前記通信インターフェースが、前記プロセッサから受信されたデータ信号を少なくとも１つの外部装置に伝送するように構成された、通信インターフェースをさらに備える、請求項２６に記載の監視システム。
【請求項２８】
前記少なくとも１つの外部装置が、マンホールイベント抑止システムであり、
前記データ信号が、前記マンホールイベント抑止システムに、前記地下ボールトの内側の内部環境を変更するように命令する命令を含む、請求項２７に記載の監視システム。
【請求項２９】
前記１つ以上の発熱要素が、電力供給されると、前記ハウジングの内側で水分が凝縮することを防止するのに十分な熱を前記ハウジングの内側に生成する少なくとも１つの抵抗器を備える、請求項２８に記載の監視システム。
【請求項３０】
前記地下ボールトの内側に位置する電源から電力を引き出し、前記電力を、前記プロセッサ、前記少なくとも１つのセンサ、及び前記１つ以上の発熱要素に提供するように構成された電力ユニットをさらに備える、請求項２６から２９のいずれか１項に記載の監視システム。
【請求項３１】
前記ハウジングが、前記ハウジングの内部の内側に空気を閉じ込めるように構成され、
前記ハウジングが、前記ハウジングの下側部分に形成された少なくとも１つのアパーチャを有し、
前記少なくとも１つのアパーチャが、前記地下ボールトと流体連通し、
前記１つ以上の発熱要素が、前記内部の内側に位置付けられ、
前記内部の内側に閉じ込められた前記空気が、水が前記少なくとも１つのアパーチャを通って前記内部に進入することを防止する、請求項２６から３０のいずれか１項に記載の監視システム。
【請求項３２】
地下ボールトの内側に設置するための制御システムであって、前記制御システムが、
プロセッサと、
ハウジングであって、前記ハウジングは、前記ハウジングの内部の内側に空気を閉じ込めるように構成され、前記プロセッサは、前記内部に位置付けられ、前記ハウジングは、前記ハウジングの下部に形成された少なくとも１つのアパーチャを有し、前記少なくとも１つのアパーチャは、前記地下ボールトと流体連通し、前記内部の内側に閉じ込められた前記空気は、前記少なくとも１つのアパーチャを通って前記内部の内側に水が進入することを防止する、ハウジングと、
前記プロセッサから制御信号を受信し、前記地下ボールト内に位置する少なくとも１つの外部装置に前記制御信号を伝送するように構成されたインターフェースであって、前記制御信号が、前記少なくとも１つの外部装置に、前記地下ボールトの内側の内部環境を変更するように命令する、インターフェースと、
前記地下ボールトの内側の少なくとも１つのパラメータの値を監視し、前記プロセッサに監視信号を送信するように動作可能な少なくとも１つのセンサであって、前記プロセッサが、前記監視信号を受信し、前記監視信号に少なくとも部分的に基づいて、前記インターフェースに前記制御信号を提供するように構成された、センサと、
前記ハウジングの内側に位置付けられたエンクロージャであって、前記少なくとも１つのセンサは、前記エンクロージャの内側に位置付けられ、前記エンクロージャは、前記少なくとも１つのアパーチャと流体連通する入口を有する、エンクロージャと、
前記入口から、前記少なくとも１つのアパーチャを通って、前記地下ボールトの中に延びる導管であって、前記導管は、ボールト空気を前記地下ボールトから前記エンクロージャの中に導く、導管と、
前記エンクロージャの中に、または前記エンクロージャから空気を移動させることにより、前記地下ボールトの内側から前記導管を通って前記エンクロージャの中に、前記ボールト空気を引き出すように位置付けられた空気移動装置であって、前記プロセッサは、前記少なくとも１つのセンサが前記少なくとも１つのパラメータの前記値を取得し、前記監視信号を前記プロセッサに送信する前に、前記空気移動装置を起動するように構成されている、空気移動装置と、
を備える、制御システム。
【請求項３３】
スプライスを有する電気ケーブルを備える前記地下ボールトとともに使用するための制御システムであって、前記制御システムは、前記地下ボールトの内側に位置する電源から電力を引き出し、前記電力を、前記プロセッサ、前記インターフェース、及び前記少なくとも１つのセンサに提供するように構成された電力ユニットをさらに備え、
前記電力ユニットが、前記地下ボールトの内側の前記スプライスに接続されるように構成され、
前記電力ユニットが、前記スプライスを介して前記電気ケーブルから前記電力を受信する、請求項３２に記載の制御システム。
【請求項３４】
前記地下ボールトの内側に位置する電源から電力を引き出し、前記電力を、前記プロセッサ、前記インターフェース、及び前記少なくとも１つのセンサに提供するように構成された電力ユニットをさらに備え、
前記電力ユニットが、ケーブルを含み、前記ケーブルは、前記電源に接続されるように構成され、
前記電源が、前記地下ボールトの内側に位置する標準的な壁コンセントであり、
前記ケーブルが、前記標準的な壁コンセントの中に差し込まれるように構成されたプラグを含む、請求項３２または３３に記載の制御システム。
【請求項３５】
前記制御システムが、少なくとも１５年間にわたって前記地下ボールトの内側に継続的に留まり、前記少なくとも１５年間にわたって前記地下ボールトの内側に位置する電源から電力を引き出すように構成されている、請求項３２から３４のいずれか１項に記載の制御システム。
【請求項３６】
前記プロセッサが、前記監視信号を使用して、前記制御システムが、前記制御システムの寿命をもたせるためにいつスリープモードに入るべきであるかを判断するように構成されている、請求項３５に記載の制御システム。
【請求項３７】
前記少なくとも１つのセンサが、前記少なくとも１つのパラメータの前記値をあるサンプリングレートで監視するように動作可能であり、
前記プロセッサが、前記監視信号に基づいて、前記サンプリングレートを変更するように構成されている、請求項３２から３６のいずれか１項に記載の制御システム。
【請求項３８】
前記少なくとも１つのセンサが、前記少なくとも１つのパラメータの前記値をあるサンプリングレートで監視するように動作可能であり、
前記プロセッサが、前記地下ボールトの外側に位置する装置もしくは前記地下ボールト内に位置する前記少なくとも１つの外部装置、または前記地下ボールトの外側に位置する前記装置及び前記地下ボールト内に位置する前記少なくとも１つの外部装置から受信された情報に基づいて、前記サンプリングレートを変更するように構成されている、請求項３２から３７のいずれか１項に記載の制御システム。
【請求項３９】
前記少なくとも１つの外部装置が、電気システム機器を含む、請求項３２から３８のいずれか１項に記載の制御システム。
【請求項４０】
ネットワークに接続されたネットワークインターフェースであって、前記ネットワークインターフェースが、前記ネットワークを介して外部コマンドを受信し、前記プロセッサに前記外部コマンドを提供するように構成され、前記プロセッサが、前記外部コマンドに基づいて、前記少なくとも１つの外部装置を動作させるように構成された、ネットワークインターフェースをさらに備える、請求項３２から３９のいずれか１項に記載の制御システム。
【請求項４１】
前記ネットワークが、複数の地下ボールトに設置された複数のマンホールイベント抑止システムを備え、
前記少なくとも１つの外部装置が、ローカルマンホールイベント抑止システムを含み、
前記プロセッサが、前記ネットワークインターフェースを介して、前記複数のマンホールイベント抑止システムのうちの１つ以上から情報を受信し、前記複数の地下ボールトのうちの１つ以上で生じるイベントまたは測定値に基づいて、前記ローカルマンホールイベント抑止システムの動作を調整する、請求項４０に記載の制御システム。
【請求項４２】
前記地下ボールト、前記地下ボールトを通って延びるケーブルシステムの少なくとも１つのケーブル、または前記少なくとも１つの外部装置を撮像するか、またはこれらの動画をキャプチャするように構成されたカメラをさらに備える、請求項３２から４１のいずれか１項に記載の制御システム。
【請求項４３】
前記少なくとも１つのセンサが、酸素センサ、一酸化炭素センサ、二酸化炭素センサ、及びメタンセンサを含む複数のセンサの１つ以上を含む、請求項３２から４２のいずれか１項に記載の制御システム。
【請求項４４】
前記少なくとも１つのセンサが、酸素センサ、一酸化炭素センサ、二酸化炭素センサ、メタンセンサ、温度センサ、及び湿度センサを含む複数のセンサを備える、請求項３２から４３のいずれか１項に記載の制御システム。
【請求項４５】
ハウジングの外側に位置付けられ、少なくとも１つの外部監視信号を前記プロセッサに送信するように構成された１つ以上の外部センサであって、水素センサ、硫化水素センサ、及び炭化水素センサを含む複数のセンサの１つ以上を含む１つ以上の外部センサをさらに備える、請求項４４に記載の制御システム。
【請求項４６】
前記入口に、またはその付近に位置付けられたフィルタであって、前記フィルタが、前記ボールト空気が前記エンクロージャに進入する前に、前記ボールト空気をろ過する、フィルタをさらに備える、請求項３２から４５のいずれか１項に記載の制御システム。
【請求項４７】
前記地下ボールトの内側に位置する電源から電力を引き出し、前記電力を、前記プロセッサ、前記インターフェース、及び前記少なくとも１つのセンサに提供するように構成された電力ユニットと、
前記電力ユニットによって電力供給される１つ以上の発熱要素であって、前記１つ以上の発熱要素が、前記エンクロージャもしくは前記ハウジング、または前記エンクロージャ及び前記ハウジングを備える少なくとも１つの構造の内側に位置付けられ、前記１つ以上の発熱要素が、水分が前記少なくとも１つの構造の内側で凝縮することを防止することを助ける、発熱要素と、をさらに備える、請求項３２から４６のいずれか１項に記載の制御システム。
【請求項４８】
前記１つ以上の発熱要素の各々は抵抗器である、請求項４７に記載の制御システム。
【請求項４９】
前記導管が、前記地下ボールトの底付近に位置付けられた遠位端を有し、
前記導管が、前記遠位端に、またはその付近に各々形成された複数の開口を有する、請求項３２から４８のいずれか１項に記載の制御システム。
【請求項５０】
前記ハウジングの外側に位置付けられ、少なくとも１つの外部監視信号を前記プロセッサに送信するように構成された１つ以上の外部センサをさらに備え、
前記１つ以上の外部センサが、放電活動または部分放電活動を監視するように構成され、前記１つ以上の外部センサは、部分放電センサ、無線周波数センサ、超音波センサ、磁界センサ、及び過渡接地電圧センサを含む複数のセンサの１つ以上を含む、請求項３２から４９のいずれか１項に記載の制御システム。
【請求項５１】
前記ハウジングの外側に位置付けられ、温度または温度差を検出するように構成された赤外線センサをさらに備える、請求項３２から５０のいずれか１項に記載の制御システム。
【請求項５２】
前記ハウジングの外側に位置付けられ、少なくとも１つの外部監視信号を前記プロセッサに送信するように構成された１つ以上の外部センサをさらに備え、
前記１つ以上の外部センサが、光センサ、湿度センサ、圧力センサ、気流センサ、振動センサ、及び浮遊電圧センサを含む複数のセンサの１つ以上を含み、前記浮遊電圧センサが、２つ以上の接地点間の浮遊電圧を測定するように構成されている、請求項３２から５１のいずれか１項に記載の制御システム。
【請求項５３】
前記ハウジングの外側に位置付けられ、少なくとも１つの外部監視信号を前記プロセッサに送信するように構成された１つ以上の外部センサをさらに備え、
前記１つ以上の外部センサが、前記地下ボールトの内側の水位を測定するように構成された水位センサ、水の塩度を測定するように構成された塩度センサ、及び水の導電度を測定するように構成された導電度センサを含む、請求項３２から５２のいずれか１項に記載の制御システム。
【請求項５４】
前記地下ボールトを通って延びるケーブルシステムの少なくとも１つの電気ケーブルとともに使用するための制御システムであって、
前記ハウジングの外側に位置付けられ、電圧スパイク及び電圧渡過に関して前記少なくとも１つの電気ケーブルを監視するように構成された電圧センサをさらに備える、請求項３２から５３のいずれか１項に記載の制御システム。
【請求項５５】
負荷状況及び電流スパイクに関して、前記少なくとも１つの電気ケーブルを流れる電流を測定するように構成された電流センサをさらに備える、請求項５４に記載の制御システム。
【請求項５６】
前記地下ボールトを通って延びるケーブルシステムの少なくとも１つの電気ケーブルとともに使用するための制御システムであって、
負荷状況及び電流スパイクに関して、前記少なくとも１つの電気ケーブルを流れる電流を測定するように構成された電流センサをさらに備える、請求項３２から５５のいずれか１項に記載の制御システム。
【請求項５７】
前記空気移動装置はファンである、請求項３２から５６のいずれか１項に記載の制御システム。